(57)【特許請求の範囲】
【請求項１】
各々が、少なくとも３原色の発光素子を含む複数の画素を有する２以上の表示ユニットが２次元配置された表示部と、
入力された映像信号に対して、少なくとも隣接する表示ユニットの組毎に算出された補正係数データを用いて輝度および色度を補正する補正処理部を含む制御部と、
補正後の映像信号に基づいて前記複数の画素を駆動する駆動部と
を備え、
前記駆動部は、前記表示ユニットごとに発光波長が異なると共に２以上の画素に配置された第１原色の発光素子の間の発光強度比を調整して、前記入力された映像信号における前記第１原色の輝度および色度を補正する
表示装置。
【請求項２】
補正係数取得部をさらに備え、
前記補正係数取得部は、カメラと、輝度・色度測定部と、演算処理部とを有し、
前記補正係数データは、前記カメラによって取得された前記表示部内の全画素の撮影データに基づいて測定された前記第１原色の輝度・色度データをもとに、前記演算処理部において算出される
請求項１に記載の表示装置。
【請求項３】
前記補正係数データは、隣接する表示ユニットのそれぞれに配置された各第１原色の発光素子の間の発光強度比を一定値として算出されたものである
請求項１に記載の表示装置。
【請求項４】
前記駆動部は、前記映像信号に含まれる第１原色以外の色の輝度および色度を、補正後の第１原色の輝度および色度を用いて前記２以上の画素に配置された第１原色の発光素子の間の発光強度比を保ったまま前記２以上の画素のＲＧＢの合計の輝度が同じになるように加法混色することにより、前記画素毎に補正する
請求項１に記載の表示装置。
【請求項５】
前記表示部では、発光波長が異なる前記第１原色の発光素子が画素位置に応じて配置されており、
最も長波長の第１原色の発光素子と、最も短波長の第１原色の発光素子との間の波長差は、１０ｎｍ以上である
請求項１に記載の表示装置。
【請求項６】
前記隣接する表示ユニット同士の間における前記第１原色の発光素子の平均波長の差が４ｎｍ以下である
請求項１に記載の表示装置。
【請求項７】
前記隣接する表示ユニット同士の間における前記第１原色の発光素子の平均波長の差が２ｎｍ以下である
請求項１に記載の表示装置。
【請求項８】
前記第１原色の発光素子は、相対的に長波長となる群に属する発光素子と、相対的に短波長となる群に属する発光素子とが、行方向、列方向または斜め方向において交互に配置されている
請求項１に記載の表示装置。
【請求項９】
各画素は、赤色、緑色および青色の発光素子をそれぞれ含み、
前記第１原色は、青色である
請求項１に記載の表示装置。
【請求項１０】
前記第１原色の発光素子はＡｌＧａＩｎＮ系発光ダイオードを含む
請求項８に記載の表示装置。
【請求項１１】
前記駆動部は、さらに、緑色の補正係数データと用いて補正された補正後の映像信号に基づいて２以上の画素に配置された緑色発光素子の間の発光強度比を調整して、前記入力された映像信号における緑色の輝度および色度を補正する
請求項８に記載の表示装置。
【請求項１２】
各々が、少なくとも３原色の発光素子を含む複数の画素を有する表示部と、
入力された映像信号に対して、補正係数データを用いて輝度および色度を補正する補正処理部を含む制御部と、
補正後の映像信号に基づいて前記複数の画素を駆動する駆動部と
を備え、
前記駆動部は、相対的に長波長となる群に属する発光素子と、相対的に短波長となる群に属する発光素子とが、行方向、列方向または斜め方向において交互に配置されると共に２以上の画素に配置された第１原色の発光素子の間の発光強度比を調整して、前記入力された映像信号における前記第１原色の輝度および色度を補正する
表示装置。
【請求項１３】
各々が複数の画素を含む２以上の表示ユニットが２次元配置された表示部の１画素内に配置された少なくとも３原色の発光素子の輝度および色度を補正する際に、
制御部内の補正処理部において、少なくとも隣接する表示ユニットの組毎に算出された補正係数データを用いて入力された映像信号の輝度および色度を補正し、
駆動部において、補正後の映像信号に基づいて、前記表示ユニットごとに発光波長が異なると共に２以上の画素に配置された第１原色の発光素子の間の発光強度比を調整して、前記第１原色の輝度および色度を補正する
補正方法。
【請求項１４】
表示部の１画素内に配置された少なくとも３原色の発光素子の輝度および色度を補正する際に、
制御部内の補正処理部において、補正係数データを用いて入力された映像信号の輝度および色度を補正し、
駆動部において、補正後の映像信号に基づいて、相対的に長波長となる群に属する発光素子と、相対的に短波長となる群に属する発光素子とが、行方向、列方向または斜め方向において交互に配置されると共に２以上の画素に配置された第１原色の発光素子の間の発光強度比を調整して、前記第１原色の輝度および色度を補正する
補正方法。
【発明の詳細な説明】
【技術分野】
【０００１】
本開示は、画素内に３原色に対応する発光素子をもつ表示装置および補正方法に関する。
【背景技術】
【０００２】
例えばＲ（赤），Ｇ（緑），Ｂ（青）などの３原色を用いた表示装置として、発光ダイオード（ＬＥＤ：light emitting diode）を使用したＬＥＤディスプレイが開発されている。このＬＥＤディスプレイは、高輝度かつ高色純度であり、また、点状光源というＬＥＤ光源の特徴を活かし、屋外や屋内の大型ディスプレイとして多く利用されている。これらの多くは、いくつかの独立したモジュールが組合せて並べられることにより（いわゆるタイリングにより）、目地のない大型のディスプレイを実現できる。
【０００３】
ところが、ＬＥＤでは、製造時のばらつきに起因して、波長あるいは色純度にばらつきが生じる。一般に、赤色ＬＥＤはＡｌＧａＩｎＰ系の化合物半導体結晶、青色および緑色のＬＥＤは、ＡｌＧａＩｎＮ系の化合物半導体結晶を用いて形成されることが多い。ばらつきの要因としては、結晶成長時の混晶の結晶方位、組成、厚みおよび配列、あるいは加工精度などの様々な要因が挙げられる。特に、青色および緑色のＬＥＤは、ＡｌＧａＩｎＮ系の混晶において不均一性が大きくなり易く、ばらつきが生じ易い。
【０００４】
このような波長および色度においてばらつきをもつＬＥＤを、各画素に配置すると、画素毎に色を合わせることができず、ざらついた表示になったり、表示画面内で色むらを生じたり、タイリングさせたユニット同士で色が異なったり、正確な色を表示できない、など、画質の劣化を生じる。
【０００５】
そこで、各画素のＲＧＢのＬＥＤの個々の波長のばらつき（特性）を測定し、輝度および色度を補正する技術がある（例えば、特許文献１）。
【先行技術文献】
【特許文献】
【０００６】
【特許文献１】特開２０００−１５５５４８号公報
【発明の概要】
【発明が解決しようとする課題】
【０００７】
上記のような輝度補正および色度補正を行うことで、輝度むらおよび色むらを軽減して、画品位を向上させることができる。しかしながら、より画品位を向上することが可能な他の手法の実現が望まれている。
【０００８】
本開示はかかる問題点に鑑みてなされたもので、その目的は、画品位を向上することが可能な表示装置および補正方法を提供することにある。
【課題を解決するための手段】
【０００９】
本開示の第１の表示装置は、各々が、少なくとも３原色の発光素子を含む複数の画素を有する２以上の表示ユニットが２次元配置された表示部と、入力された映像信号に対して、少なくとも隣接する表示ユニットの組毎に算出された補正係数データを用いて輝度および色度を補正する補正処理部を含む制御部と、補正後の映像信号に基づいて複数の画素を駆動する駆動部とを備えたものである。駆動部は、表示ユニットごとに発光波長が異なると共に２以上の画素に配置された第１原色の発光素子の間の発光強度比を調整して、入力された映像信号における第１原色の輝度および色度を補正する。
【００１０】
本開示の第１の表示装置では、第１原色の輝度および色度を補正する際に、少なくとも隣接する表示ユニットの組毎に算出された補正係数データを用いて補正された映像信号に基づいて入力された映像信号の第１原色の輝度および色度を補正して、表示ユニットごとに発光波長が異なると共に２以上の画素に配置された第１原色の発光素子の間の発光強度比を調整することで、２以上の画素では、第１原色の色度を一定値として扱うことができる。この一定の第１原色に、他の原色が足し合わせられることから、その加色量も２以上の画素間で一定となる。人間の眼の網膜の中心部において視認され易い色度のばらつきが軽減される。
【００１１】
本開示の第２の表示装置は、各々が、少なくとも３原色の発光素子を含む複数の画素を有する表示部と、入力された映像信号に対して、補正係数データを用いて輝度および色度を補正する補正処理部を含む制御部と、補正後の映像信号に基づいて複数の画素を駆動する駆動部とを備えたものである。駆動部は、相対的に長波長となる群に属する発光素子と、相対的に短波長となる群に属する発光素子とが、行方向、列方向または斜め方向において交互に配置されると共に２以上の画素に配置された第１原色の発光素子の間の発光強度比を調整して、入力された映像信号における第１原色の輝度および色度を補正する。
【００１２】
本開示の第２の表示装置では、第１原色の輝度および色度を補正する際に、補正係数データを用いて補正された映像信号に基づいて入力された映像信号の第１原色の輝度および色度を補正して、相対的に長波長となる群に属する発光素子と、相対的に短波長となる群に属する発光素子とが、行方向、列方向または斜め方向において交互に配置されると共に２以上の画素に配置された第１原色の発光素子の間の発光強度比を調整することで、２以上の画素では、第１原色の色度を一定値として扱うことができる。この一定の第１原色に、他の原色が足し合わせられることから、その加色量も２以上の画素間で一定となる。人間の眼の網膜の中心部において視認され易い色度のばらつきが軽減される。
【００１３】
本開示の第１の補正方法は、各々が複数の画素を含む２以上の表示ユニットが２次元配置された表示部の１画素内に配置された少なくとも３原色の発光素子の輝度および色度を補正する際に、制御部内の補正処理部において、少なくとも隣接する表示ユニットの組毎に算出された補正係数データを用いて入力された映像信号の輝度および色度を補正し、駆動部において、補正後の映像信号に基づいて、表示ユニットごとに発光波長が異なると共に２以上の画素に配置された第１原色の発光素子の間の発光強度比を調整して、第１原色の輝度および色度を補正するものである。

【００１４】
本開示の第２の補正方法は、表示部の１画素内に配置された少なくとも３原色の発光素子の輝度および色度を補正する際に、制御部内の補正処理部において、補正係数データを用いて入力された映像信号の輝度および色度を補正し、駆動部において、補正後の映像信号に基づいて、相対的に長波長となる群に属する発光素子と、相対的に短波長となる群に属する発光素子とが、行方向、列方向または斜め方向において交互に配置されると共に２以上の画素に配置された第１原色の発光素子の間の発光強度比を調整して、第１原色の輝度および色度を補正するものである。

【発明の効果】
【００１５】
本開示の第１の表示装置および第１の補正方法ならびに第２の表示装置および第２の補正方法によれば、第１原色の輝度および色度を補正する際に、２以上の画素に配置された第１原色の発光素子の間の発光強度比は、補正係数データを用いて入力された映像信号の輝度および色度を補正して調整する。これにより、例えば加法混色により他の原色を足し合わせて第１原色の輝度および色度を補正する場合に、人間の眼の網膜の中心部において視認され易い色度のばらつきを軽減することができる。よって、画品位を向上することが可能となる。
【００１７】
尚、上記内容は本開示の一例である。本開示の効果は、上述したものに限らず、他の異なる効果であってもよいし、更に他の効果を含んでいてもよい。
【図面の簡単な説明】
【００１８】
【図１】本開示の第１の実施形態に係る表示装置の全体構成例を表す模式図である。
【図２】図１に示した補正係数取得部の詳細構成例を表す模式図である。
【図３】図１に示した表示部の画素配列例を表す平面模式図である。
【図４】図３に示した表示部の長波長と短波長との配列について説明するための模式図である。
【図５】補正係数取得から表示部駆動までの流れ図である。
【図６】比較例１に係る補正係数を説明するための波長ばらつきの一例を表す模式図である。
【図７Ａ】図６に示した波長に対応する色度点ばらつきと調整色度点（目標色度点）とをプロットした色度図である。
【図７Ｂ】図７Ａの青色付近を拡大した図である。
【図８】比較例１に係る加法混色による青色の輝度および色度の調整動作を模式的に表した特性図である。
【図９】比較例１に係る調整後の青色の輝度および色度（網膜中心外）を模式的に表す特性図である。
【図１０】比較例１に係る調整後の青色の見え方（網膜中心外）を模式的に表す平面図である。
【図１１】比較例１に係る調整後の青色の輝度および色度（網膜中心）を模式的に表す特性図である。
【図１２】比較例１に係る調整後の青色の見え方（網膜中心）を模式的に表す平面図である。
【図１３】実施例１に係る補正係数を説明するための波長ばらつきの一例を表す模式図である。
【図１４Ａ】図１３に示した波長に対応する色度点ばらつきと調整色度点（目標色度点）とをプロットした色度図である。
【図１４Ｂ】図１４Ａの青色付近を拡大した図である。
【図１５】実施例１に係る加法混色による青色の輝度および色度の調整動作を模式的に表す特性図である。
【図１６】実施例１に係る調整後の青色の輝度および色度（網膜中心外）を模式的に表す特性図である。
【図１７】実施例１に係る調整後の青色の見え方（網膜中心外）を模式的に表した平面図である。
【図１８】実施例１に係る調整後の青色の輝度および色度（網膜中心）を模式的に表した特性図である。
【図１９】実施例１に係る調整後の青色の見え方（網膜中心）を模式的に表した平面図である。
【図２０】本開示の第２の実施形態に係る表示装置の表示部の画素配列例を表す平面模式図である。
【図２１Ａ】比較例２に係る色度点ばらつきと調整色度点（目標色度点）とをプロットした色度図である。
【図２１Ｂ】比較例２に係る加法混色による青色の輝度および色度の調整動作を模式的に表した特性図である。
【図２２】比較例２に係る調整後の青色の輝度および色度（網膜中心外）を模式的に表す特性図である。
【図２３】比較例２に係る調整後の青色の見え方（網膜中心外）を模式的に表す平面図である。
【図２４】比較例２に係る調整後の青色の輝度および色度（網膜中心）を模式的に表す特性図である。
【図２５】比較例２に係る調整後の青色の見え方（網膜中心）を模式的に表す平面図である。
【図２６Ａ】実施例２に係る色度点ばらつきと調整色度点（目標色度点）とをプロットした色度図である。
【図２６Ｂ】実施例２に係る加法混色による青色の輝度および色度の調整動作を模式的に表した特性図である。
【図２７】実施例２に係る調整後の青色の輝度および色度（網膜中心外）を模式的に表す特性図である。
【図２８】実施例２に係る調整後の青色の見え方（網膜中心外）を模式的に表す平面図である。
【図２９】実施例２に係る調整後の青色の輝度および色度（網膜中心）を模式的に表す特性図である。
【図３０】実施例２に係る調整後の青色の見え方（網膜中心）を模式的に表す平面図である。
【図３１】本開示の第３の実施形態に係る表示装置で用いられる補正係数について説明するための色度図である。
【図３２】比較例３に係る補正係数について説明するための色度図である。
【図３３Ａ】変形例１−１に係る波長配列について表す平面模式図である。
【図３３Ｂ】変形例１−２に係る波長配列について表す平面模式図である。
【図３３Ｃ】変形例１−３に係る波長配列について表す平面模式図である。
【図３３Ｄ】変形例１−４に係る波長配列について表す平面模式図である。
【図３３Ｅ】変形例１−５に係る波長配列について表す平面模式図である。
【図３３Ｆ】変形例１−６に係る波長配列について表す平面模式図である。
【図３３Ｇ】変形例１−７に係る波長配列について表す平面模式図である。
【発明を実施するための形態】
【００１９】
以下、本開示の実施の形態について、図面を参照して詳細に説明する。尚、説明は以下の順序で行う。
１．第１の実施の形態（集合体内における青色ＬＥＤの発光強度比を調整して算出された補正係数を用いて輝度および色度が補正される表示装置の例）
２．第２の実施の形態（表示ユニット間における青色ＬＥＤの発光強度比を調整して算出された補正係数を用いて輝度および色度が補正される表示装置の例）
３．第３の実施の形態（複数画素における青色ＬＥＤの各色度を演算して算出された補正係数を用いて色度が補正される表示装置の例）
４．変形例１−１〜１−７（波長配列の他の例）
【００２０】
＜第１の実施の形態＞
［構成］
図１は、本開示の第１の実施の形態に係る表示装置（表示装置１）の全体構成の一例を表すものである。表示装置１は、例えば、表示部１０と、駆動部２０と、制御部３０と、補正処理部３１とを備えたものである。表示部１０は、例えば複数の表示ユニットＣｎを含んで構成されている。尚、駆動部２０、制御部３０および補正処理部３１が、本開示における「駆動部」の一具体例に相当する。
【００２１】
表示部１０は、例えば複数の表示ユニットＣｎを組み合わせて構成されたものである。表示部１０では、複数の表示ユニットＣｎが２次元的に並べて配置されている。これらの複数の表示ユニットＣｎはそれぞれ、例えばマトリクス状に配置された複数の画素を含んでいる。１画素内には、少なくとも３原色に対応する発光素子が配置されている。発光素子としては、例えば、赤（Ｒ），緑（Ｇ），青（Ｂ）の色光を発する発光ダイオード（ＬＥＤ）が挙げられる。赤色ＬＥＤは、例えばＡｌＧａＩｎＰ系の材料、緑色ＬＥＤおよび青色ＬＥＤは、例えばＡｌＧａＩｎＮ系の材料から構成されている（ＡｌＧａＩｎＮ系の発光ダイオードを含む）。表示部１０では、映像信号に応じて各画素がパルス駆動されることにより、各ＬＥＤの輝度が調整されて映像が表示される。
【００２２】
駆動部２０は、表示部１０の各画素を駆動（表示駆動）するものであり、例えば定電流ドライバを含んで構成されている。この駆動部２０は、制御部３０から供給される補正後の映像信号（映像信号Ｄ４）を用いて、例えばパルス幅変調（ＰＷＭ）により表示部１０を駆動するように構成されている。
【００２３】
制御部３０は、例えばマイクロプロセッサユニット（ＭＰＵ：Micro-processing unit）を含んで構成されている。ここでは、表示装置１は、例えば、補正係数取得部４０と接続されており（あるいは接続可能であり）、信号の送受信が可能となっている。これらの補正係数取得部４０と表示装置１とが、表示システム１Ａを構成する。表示システム１Ａでは、補正係数取得部４０から補正係数データ（後述の補正係数データＤ３）が補正処理部３１に供給される。但し、表示装置１は、補正係数取得部４０と必ずしも接続可能に構成されていなくともよい。つまり、補正処理部３１が、補正係数データＤ３を予め保持して構成されていても構わない。
【００２４】
補正処理部３１は、例えば補正係数データＤ３を格納可能なデータメモリを含んで構成され、格納されている補正係数データＤ３に基づいて、輝度および色度の補正を行う信号処理部である。
【００２５】
補正係数取得部４０は、表示部１０の各画素に配置されたＬＥＤの波長（発光波長）ばらつきに起因する輝度および色度のばらつきを均一化するための補正係数を演算によって取得する処理部である。尚、本明細書では、「波長」および「発光波長」は、いわゆるドミナント波長を示すものとする。
【００２６】
図２は、補正係数取得部４０の具体的な構成の一例について表したものである。このように、補正係数取得部４０は、例えば、カメラ４１と、輝度・色度測定部４２と、演算処理部４３と、記憶部４４とを有している。尚、補正係数取得動作の際には、表示ユニットＣｎは、ＬＥＤ駆動部４５によって定電流駆動される。
【００２７】
カメラ４１は、例えばＣＣＤ（Charge Coupled Device Image Sensor）カメラであり、表示ユニットＣｎの表示画面全体を撮影するものである。輝度・色度測定部４２は、カメラ４１によって取得された撮影データ（撮影データＤ１）に基づいて、各ＬＥＤの輝度および色度を測定するものである。演算処理部４３は、測定された輝度および色度のデータ（輝度・色度データＤ２）に基づいて、それらのばらつきを均一化し（調整し）、補正係数を算出する処理を行うものである。この演算処理部４３によって算出された補正係数データ（補正係数データＤ３）は、記憶部４４に記憶される。この補正係数データＤ３は、例えば制御部３０の制御に応じて、表示装置１の補正処理部３１に出力される。尚、ここで算出する補正係数は、色度が完全に均一化されるものに限らず、多少の色度ばらつきを生じるものであってもよい。画像の品質が許容できる範囲まで色度ばらつきが軽減されていれば、色度が完全に均一でなくとも構わない。
【００２８】
本実施の形態では、表示部１０（表示ユニットＣｎ）において、画素毎にＬＥＤの波長にばらつきがある。この波長ばらつきは、例えばＬＥＤの製造プロセスにおいて生じたものであり、ウエハ内またはウエハ毎に波長が設計値からずれてしまうことに由来する。表示ユニットＣｎでは、各ＬＥＤが、複数のウエハまたは１枚のウエハから移載によって実装されることから、画素間で波長のばらつきが生じ、この波長ばらつきは例えば周期的に繰り返して形成される。ここでは、波長が周期的に配列した構成を例示しているが、波長の配列は、必ずしも周期性をもっていなくともよい。ＬＥＤの形成手法に応じて様々なパターンで配置され得るからである。
【００２９】
このような波長ばらつきの要因としては、結晶成長時の混晶の結晶方位、組成、厚みおよび配列、あるいは加工精度などの様々なものが挙げられる。特に、青色および緑色のＬＥＤは、ＡｌＧａＩｎＮ系の混晶において組成等が不均一となり易く、波長のばらつきが生じ易い。これらの青色ＬＥＤ（あるいは緑色ＬＥＤ）の波長ばらつき（最も長波長青色波長と最も短波長の青色波長との差）は、例えば１０ｎｍ以上であり、１５ｎｍ以上となることもある。
【００３０】
図３に、表示ユニットＣｎにおける画素配列の一例について示す。表示ユニットＣｎには、隣接する２以上の画素、例えば２×２の画素からなる集合体（集合体Ｕ１）を単位配列として含む。上記のようなＬＥＤの製造および実装プロセスに起因して、集合体Ｕ１では、画素位置に応じて、互いに波長が異なる青色ＬＥＤが配置される。具体的には、集合体Ｕ１では、隣接する４つの画素Ｐ１１，Ｐ１２，Ｐ１３，Ｐ１４のそれぞれに、異なる波長の青色ＬＥＤ１０Ｂ１，１０Ｂ２，１０Ｂ３，１０Ｂ４が配置されている。換言すると、これらの青色ＬＥＤ１０Ｂ１〜１０Ｂ４は、例えば互いに異なるウエハから実装されたものである。尚、ここでは、説明の単純化のため、赤色ＬＥＤ１０Ｒと緑色ＬＥＤ１０Ｇとにおいては、波長のばらつきがないものとして扱う。但し、以下の理由から、特に青色において波長ばらつきを均一化することが望ましい。即ち、上記のように製造プロセスにおいて青色の波長ばらつきが生じ易いことに加え、人間の網膜上の細胞の特徴から青色のばらつきが最も見え易いためである。このため、青色と同等以上の波長ばらつきを生じる緑色よりも青色の波長を均一化することがより効果的である。
【００３１】
尚、実際には、１画素内においてＲＧＢの各ＬＥＤは近接して配置されている。具体的には、ＲＧＢの３色が混ざったように見える位置まで各ＬＥＤが近接して配置される。あるいは、１画素内の３色を見分けられない距離が適正な視聴距離として設定される。
【００３２】
集合体Ｕ１では、上記のように、青色ＬＥＤ１０Ｂ１〜１０Ｂ４が波長ばらつきを有し、表示ユニットＣｎでは、この集合体Ｕ１が単位配列として周期的に繰り返して配置されるが、これらの青色ＬＥＤ１０Ｂ１〜１０Ｂ４の各波長は、更に、相対的に長波長となるグループ（Ｇ１）と相対的に短波長となるグループ（Ｇ２）とに分けられる。長波長グループＧ１と短波長グループＧ２とは、規則的に配列していることが望ましい。
【００３３】
図４は、長波長グループＧ１と短波長グループＧ２との配列の一例を示したものである。このように、例えば、長波長グループＧ１を構成する波長Ｂ２，Ｂ３と、短波長グループＧ２を構成する波長Ｂ１，Ｂ４とが、千鳥格子状に配置されていることが望ましい。具体的には、画素配列における行方向ａ１および列方向ａ２のそれぞれにおいて、長波長グループＧ１に属する波長（Ｂ２，Ｂ３）のうちの１つと、短波長グループＧ２に属する波長（Ｂ１，Ｂ４）のうちの１つとが交互に配置されることが望ましい。詳細には、行方向ａ１では、波長Ｂ１，Ｂ２が交互に隣接して配置されると共に、波長Ｂ３，Ｂ４が交互に隣接して配置される。列方向ａ２では、波長Ｂ１，Ｂ３が交互に隣接して配置されると共に、波長Ｂ２，Ｂ４が交互に隣接して配置される。一方、斜め方向ａ３では、長波長グループＧ１に属する波長Ｂ２，Ｂ３が交互に配置され、短波長グループＧ２に属する波長Ｂ１，Ｂ４が交互に配置される。尚、長波長グループＧ１に属する波長Ｂ２，Ｂ３はいずれも、短波長グループＧ２に属する波長Ｂ１，Ｂ４よりも長い波長である。
【００３４】
［動作］
本実施の形態の表示装置１では、外部から入力された映像信号に基づいて、駆動部２０から表示部１０の各画素へ駆動電流が供給されると、各画素では、各色のＬＥＤが所定の輝度で発光し、３原色の加法混色により、表示部１０の画面全体において映像が表示される。
【００３５】
ところが、このようなＬＥＤを用いた表示装置１では、上述のように、特に青色ＬＥＤにおいて、製造プロセス等に起因する波長ばらつきを生じる。この波長ばらつきによって、画素毎に輝度および色度のばらつきが生じ、画質の劣化を生じる。そこで、このような波長ばらつきが生じた場合にも、所望の輝度および色度で映像表示ができるように、輝度および色度が補正される。具体的には、補正係数取得部４０によって取得された補正係数（補正係数データＤ３）または予め保持された補正係数データＤ３に基づいて、補正処理部３１が輝度および色度を補正し、この補正後の映像信号を用いて、駆動部２０が表示部１０を駆動する。
【００３６】
図５は、本実施の形態の補正係数取得動作から表示駆動動作までの一連の流れを表したものである。このように、まず補正係数取得部４０が補正係数を取得する（ステップＳ１１〜Ｓ１５）。具体的には、図２に示したように、ＬＥＤ駆動部４５により表示ユニットＣｎの全画素を点灯し（ステップＳ１１）、カメラ４１を用いて全画素の撮影が行われることにより、撮影データＤ１を取得する（ステップＳ１２）。この後、輝度・色度測定部４２が、カメラ４１によって得られた撮影データＤ１に基づいて、全画素における輝度および色度を測定し、輝度・色度データＤ２を取得する（ステップＳ１３）。このようにして得られた輝度・色度データＤ２に対し、演算処理部４３が、輝度および色度を均一化するための補正係数を算出する（ステップＳ１４）。算出された補正係数についてのデータ（補正係数データＤ３）は、記憶部４４に記憶される（ステップＳ１５）。このようにして、表示ユニットＣｎ毎に、上記の一連の処理（Ｓ１１〜Ｓ１５）を行い、全表示ユニットＣｎについての補正係数データＤ３を取得する。尚、ステップＳ１１では、表示ユニットＣｎの全画素を同時に点灯してもよいし、全画素を順次点灯するようにしてもよい。また、ステップＳ１２では、表示ユニットＣｎ内の全画素をいくつかのブロックに分け、ブロック毎に順次撮影しても構わない。
【００３７】
この後、各表示ユニットＣｎが組み合わせて配置され（タイリングされ）、表示部１０が組み立てられる（ステップＳ１６）。外部から入力された映像信号に対し、補正処理部３１は、補正係数データＤ３を用いて輝度および色度を補正する。補正後の映像信号Ｄ４が駆動部２０に出力される。駆動部２０は、映像信号Ｄ４を用いて表示部１０を駆動する（ステップＳ１７）。
【００３８】
このように、波長ばらつきに応じた補正係数を用いて輝度および色度を補正することにより、製造プロセス等に起因する波長ばらつきが生じた場合にも、所望の輝度および色度で映像表示を行うことができ、画質劣化を抑制することができる。
【００３９】
ここで、本実施の形態の比較例（比較例１）に係る青色の輝度および色度の補正係数について説明する。比較例１では、図６に示したように、画素Ｐ１１〜Ｐ１４において、波長の異なる青色ＬＥＤ１０Ｂ１〜１０Ｂ４が配置されている場合を想定する。具体的には、青色ＬＥＤ１０Ｂ１が４５５ｎｍ、青色ＬＥＤ１０Ｂ２が４６７ｎｍ、青色ＬＥＤ１０Ｂ３が４６３ｎｍ、青色ＬＥＤ１０Ｂ４が４５９ｎｍ、となっている。尚、簡便化のため、赤色ＬＥＤ１０Ｒおよび緑色ＬＥＤ１０Ｇについては、波長ばらつきがないものとして扱っている。
【００４０】
比較例１では、画素Ｐ１１〜Ｐ１４の輝度・色度を測定した後、各画素内でＲＧＢを加法混色することにより輝度および色度を調整する。例えば、各画素の青色の色度点は、青色ＬＥＤのみを発光させたときの色度点に赤色と緑色を加えることで色度点を目標色度点にシフトさせて調整する。このようにして、全画素において所定の色度および輝度となるように加法混色による調整を行う。これにより、原理的には、画面内の（全画素において）色度および輝度を一定に合わせることができる。
【００４１】
具体的には、図７Ａおよび図７Ｂに示したように、ＲＧＢ各色のＬＥＤの色度をプロットすると、青色の色度点は波長ばらつきに起因してばらつく。比較例１では、このような色度点のばらつきを、赤色および緑色を加色することで、均一となるように調整する。ここで、加法混色では、ＲＧＢの各色度点を頂点とした三角形の範囲内の色度を表現することができる。つまり、４波長のそれぞれに対応して、４つのＢ色度点を頂点とする三角形が４つ形成される。これら４つの三角形に共通する部分（図７Ｂ中の斜線部分）の頂点となる色度点を、補正点（補正点Ｐｂ）とすることで、画素Ｐ１１〜Ｐ１４において青色の色度を均一化することができる。
【００４２】
例えば、青色の色度点のうち短波長のもの（画素Ｐ１１，Ｐ１４の色度点）を補正点Ｐｂにシフトさせる場合には、緑色を赤色よりも多く混色する。一方、青色の色度点のうち長波長のもの（画素Ｐ１３，Ｐ１２の色度点）を補正点Ｐｂにシフトさせる場合には、赤色を緑色よりも多く混色する。模式的に表すと、その混色比（発光強度比）は、図８に示したようになる。また、輝度を画素Ｐ１１〜Ｐ１４間において一定とするためには、この発光強度比を保ったまま、ＲＧＢの合計の輝度が画素Ｐ１１〜Ｐ１４間において同じになるように調整する。図８の例では、画素Ｐ１１〜Ｐ１４において、輝度は一定とされている。このように、比較例１では、測定した青色の各色度点を補正点Ｐｂへシフトするための補正係数が演算によって算出され、この補正係数を用いて、青色の輝度および色度が補正される。
【００４３】
比較例では、この補正係数算出の際に、等色関数というＣＩＥ（Commission Internationale de l'Eclairage）により定められた光のエネルギースペクトルに対する眼の感度曲線が使用される。等色関数は、個人差があり、また視角および周囲の明るさ等によっても変化する。このため、計算上同じ色度および輝度に調整しても、視野の中心と周囲で見え方が異なる現象が発生する。実際に、ＬＥＤディスプレイにおいて、計算上輝度および色度を補正した場合であっても、各画素でばらつきを感じたり、タイリングした場合の表示ユニット間の境界が視認されることがある。
【００４４】
これは、人間の眼の網膜中心とその周囲（網膜中心外）とにおいて、視細胞の分布が異なることを考慮していないこと、および見え方に個人差があることに要因がある。
【００４５】
図９は、網膜中心外における、比較例１の調整後（補正点Ｐｂへのシフト後）の青色の輝度および色度について模式的に表したものである。図１０は、その網膜中心外での青色の見え方を模式的に表したものである。このように、比較例１において、網膜中心外では、画素Ｐ１１〜Ｐ１４間で均一な青色が表現される（均一な青色と感じられる）。
【００４６】
ところが、網膜中心では、青色に感度をもつＳ錐体細胞が少ない一方で、赤色および緑色に感度をもつＬ錐体細胞およびＭ錐体細胞は多く分布している。また、青色から緑色にかけて感度の高い桿体細胞は、中心窩にはほとんど存在しない。これらのことから、網膜中心では、青色を感じにくい。図１１は、網膜中心における、比較例１の調整後（補正点Ｐｂへのシフト後）の青色の輝度および色度について模式的に表したものである。図１２は、その網膜中心での青色の見え方を模式的に表したものである。尚、図１２では、色味の違いを、ハッチングの違いで模式的に表している。網膜中心では、青色をほとんど感じないことから、図１１および図１２に模式的に表したように、短波長の画素Ｐ１１，Ｐ１４では、緑の色味が強く感じられる一方で、長波長の画素Ｐ１２，Ｐ１３では、赤の色味が強く、感じられる。この結果、比較例１のように、等色関数を用いて各画素の輝度および色度を補正すると、網膜中心では明るさや色味がばらついてしまう。このようなばらつきは、ディスプレイの画品位を損なう要因となる。
【００４７】
上記のように、ＬＥＤが波長ばらつきを有する場合、高品質な画像を再現することは困難である。尚、ＬＥＤの特性を測定して予めランク分けを行い、ばらつきの極めて小さい（例えば２ｎｍ〜４ｎｍ以下程度）範囲内の特定ランクのものだけを使用する、という方法も考えられるが、製造コストが莫大になり普及が難しい。
【００４８】
これに対し、本実施の形態では、２以上の画素において青色の発光強度比を調整して算出された補正係数を用いて、青色の輝度および色度が補正される。具体的には、表示ユニットＣｎの単位配列となる集合体Ｕ１を構成する画素Ｐ１１〜Ｐ１４に配置された青色ＬＥＤ１０Ｂ１〜１０Ｂ４の各発光強度比が一定値となるように調整され、補正係数が算出される。即ち、集合体Ｕ１内では、青色の発光強度を一定値として扱い、補正係数が算出される。ここでは、図１３に示したように、青色ＬＥＤ１０Ｂ１が４５５ｎｍ、青色ＬＥＤ１０Ｂ２が４６７ｎｍ、青色ＬＥＤ１０Ｂ３が４６３ｎｍ、青色ＬＥＤ１０Ｂ４が４５９ｎｍである場合を実施例１として説明する。
【００４９】
本実施の形態においても、上記の比較例１と同様、図１４Ａおよび図１４Ｂに示したように、ＲＧＢ各色のＬＥＤの色度をプロットすると、青色の色度点は、波長ばらつきに起因してばらつく。この色度点のばらつきを均一化するために、赤色ＬＥＤ１０Ｒおよび緑色ＬＥＤ１０Ｇの強度比が調整される（加色される）。但し、本実施の形態では、比較例１と異なり、まず、青色ＬＥＤ１０Ｂ１〜１０Ｂ４の発光強度比が調整され、青色の色度が一定値として扱われる。即ち、図１５に示したように、画素Ｐ１１〜Ｐ１４において青色の発光強度比が一定の値に設定され、この一定の青色に対して赤色および緑色を混色する。また、輝度を画素Ｐ１１〜Ｐ１４間において一定とするために、その発光強度比を保ったまま、ＲＧＢの合計の輝度（図１５における各グラフの高さ）が画素Ｐ１１〜Ｐ１４間において同じになるように調整する。このような発光強度比の調整を行うことで、４つの青色ＬＥＤ１０Ｂ１〜１０Ｂ４の目標色度点を、例えばそれらの平均の色度点Ｐ１に設定することができる。実施例１では、測定した青色の各色度点を補正点Ｐ１へシフトするための補正係数が演算によって算出され、この補正係数を用いて、映像信号における青色の輝度および色度が補正される。尚、ここで算出する補正係数は、輝度が完全に均一化されるものに限らず、多少の輝度ばらつきを生じるものであってもよい。画像の品質が許容できる範囲まで輝度ばらつきが軽減されていれば、輝度が完全に均一でなくとも構わない。
【００５０】
図１６は、網膜中心外における、実施例１に係る調整後（補正点Ｐ１へのシフト後）の青色の輝度および色度について模式的に表したものである。図１７は、その網膜中心外での青色の見え方を模式的に表したものである。このように、実施例１においても、比較例１と同様、網膜中心外において、画素Ｐ１１〜Ｐ１４間で均一な青色が表現される（均一な青色と感じられる）。
【００５１】
図１８は、網膜中心における、実施例１の調整後（補正点Ｐ１へのシフト後）の青色の輝度および色度について模式的に表したものである。図１９は、その網膜中心での青色の見え方を模式的に表したものである。網膜中心では、上述した理由から青色をほとんど感じず、赤色および緑色に対する感度が支配的となる。実施例１では、集合体Ｕ１において青色の発光強度比が一定となるように調整されているので、加色する赤色および緑色の強度比も画素間において一定となる（混色比が一定となる）。つまり、青色ＬＥＤ１０Ｂ１〜１０Ｂ４の波長ばらつきによらず、ＲＧＢの混色比が一定となる。この結果、図１８および図１９に模式的に表したように、画素Ｐ１１〜Ｐ１４間において均一な青色が表現される（均一な青色と感じられる）。このように、実施例１では、網膜中心においても青色の明るさや色味のばらつきが視認されにくい。
【００５２】
尚、実際の青色の発光強度は、画素Ｐ１１〜Ｐ１４のそれぞれにおいて異なるため、厳密には、青色の色度は均一ではないが、Ｓ錐体細胞の密度が低く、青色の空間分解能が赤色および緑色に比べて低いことから、個々の青色の色味のばらつきは視認されにくい。また、青色以外の色、即ち赤色および緑色の輝度および色度は、上記補正後の青色の輝度および色度を用いて、画素毎に加法混色され、補正されることが望ましい。
【００５３】
［効果］
以上説明したように、本実施の形態では、青色の輝度および色度を補正する際に、画素Ｐ１１〜Ｐ１４からなる集合体Ｕ１に配置された青色ＬＥＤ１０Ｂ１〜１０Ｂ４の発光強度比を調整して算出された補正係数を用いる。ここで、補正係数は、例えば加法混色により他の原色（例えば、赤および緑）を足し合わせて算出されるが、青色の発光強度比を調整し、集合体Ｕ１では、青色の色度を一定値として扱う。この一定値の青色に対し、赤色および緑色が足し合わせられることから、その加色量も画素Ｐ１１〜Ｐ１４間において一定となる。人間の眼の網膜の中心部において視認され易い色度のばらつきが軽減される。
【００５４】
また、上記のように集合体Ｕ１内で青色の発光強度比を調整して色度補正を行うことで、色度図における青色の色度点を、比較例１に比べ、より外側にとることができる。これにより、色再現性が高めることができる。
【００５５】
尚、これらの効果は、青色ＬＥＤの波長ばらつきが大きいほど大きなものとなる。また、視細胞のうちの緑色に感度をもつＭ錐体細胞は、Ｓ錐体細胞の次に少ない。このため、青色ＬＥＤだけでなく緑色ＬＥＤにおいても、２画素以上において発光強度比を調整して算出した補正係数を用いた補正を行うことで、画品位向上の効果を得ることができる。
【００５６】
以下、本開示の他の実施の形態および変形例について説明する。尚、上記第１の実施の形態と同様の構成要素については同一の符号を付し、適宜その説明を省略する。
【００５７】
＜第２の実施の形態＞
図２０は、本開示の第２の実施の形態に係る表示装置の表示部における画素配列の一例である。上記第１の実施の形態では、各表示ユニットＣｎ内での集合体Ｕ１において青色の発光強度比を調整し、輝度および色度の補正を行ったが、本実施の形態では、少なくとも隣接する表示ユニットＣｎの組毎に補正係数を算出し、算出した補正係数を用いて輝度および色度の補正を行う。
【００５８】
具体的には、本実施の形態では、図２０に示したように、表示ユニットＣ１の各画素Ｐ１に配置された青色ＬＥＤ１０Ｂ５と、表示ユニットＣ２の各画素Ｐ２に配置された青色ＬＥＤ１０Ｂ６との波長が異なる場合を想定している。表示ユニットＣ１，Ｃ２では、赤色ＬＥＤ１０Ｒおよび緑色ＬＥＤ１０Ｇの各波長は同一としている。
【００５９】
本実施の形態では、表示ユニットＣ１，Ｃ２間において青色ＬＥＤ１０Ｂ５，１０Ｂ６に波長のばらつきがあると、表示ユニットＣ１，Ｃ２間で明るさや色味が異なり、これらの表示ユニットＣ１，Ｃ２間の境界が視認される等、画品位に影響を与える。このため、このような場合においても、表示ユニットＣ１，Ｃ２間の波長ばらつきに起因する輝度および色度の補正が行われる。
【００６０】
ここで、本実施の形態の比較例（比較例２）に係る、青色の輝度および色度の補正係数について説明する。比較例２では、青色ＬＥＤ１０Ｂ５，１０Ｂ６として波長差の非常に近いものが配置されている場合を想定する。具体的には、青色ＬＥＤ１０Ｂ５が４６０ｎｍ、青色ＬＥＤ１０Ｂ６が４６２ｎｍ、となっている。
【００６１】
比較例２では、各表示ユニットＣ１，Ｃ２における輝度および色度を測定した後、ＲＧＢを加法混色する。このとき、表示部１０の全面において所定の色度および輝度となるように加法混色による調整を行う。これにより、原理的には、表示部全体の（全画素において）色度および輝度を一定に合わせることができる。
【００６２】
ところが、比較例２のように、各画素を補正すると、表示ユニットＣ１，Ｃ２の青色の各色度点が、例えば図２１Ａに示した補正点Ｐｂに調整される。このため、図２１Ｂに示したように、相対的に短波長の青色ＬＥＤ１０Ｂ５に対しては緑色をより多く、長波長の青色ＬＥＤ１０Ｂ６に対しては、赤色をより多く混色する。この結果、図２２および図２３に示したように、網膜中心外では、隣接する表示ユニットＣ１，Ｃ２間の青色の色度を合わせ、均一な青色を表現できる。しかしながら、図２４および図２５に示したように、網膜中心では、上述した理由から青色を感じにくいため、表示ユニットＣ１，Ｃ２とのそれぞれにおいて、色味が異なって見える。尚、図２５では、色味の違いを、ハッチングの違いで模式的に表している。表示ユニットＣ１では緑色っぽく、表示ユニットＣ２では、赤色っぽく、それぞれ視認され、また、緑色と赤色の境界がみえてしまう。青色ＬＥＤ１０Ｂ５，１０Ｂ６の波長差が小さければ小さいほど混色する赤や緑の量は少なくなるものの、赤色および緑色は感度が高く、また空間分解能が高いことから、ユニット間に境界が視認される。この結果、タイリングによる境界線が視認されてしまい、表示品位が下がり、誤認識なども生じ易くなる。
【００６３】
これに対し、本実施の形態では、少なくとも隣接する表示ユニットＣｎ間で青色の発光強度比を調整して算出した補正係数を用いて、青色の輝度および色度の補正を行う。具体的には、隣接する表示ユニットＣ１，Ｃ２のそれぞれに配置された青色ＬＥＤ１０Ｂ５，１０Ｂ６の各発光強度比が一定値となるように補正係数が算出される。即ち、表示部１０全体では、青色の発光強度が一定であるものとして扱い、補正係数を算出する。ここでは、比較例２と同様、青色ＬＥＤ１０Ｂ５の発光波長を４６０ｎｍ、青色ＬＥＤ１０Ｂ６の発光波長を４６２ｎｍとした。
【００６４】
本実施の形態においても、上記の比較例２と同様、図２６Ａに示したように、ＲＧＢ各色のＬＥＤの色度をプロットすると、青色の色度点は波長ばらつきに起因してばらつく。この色度点のばらつきを均一化するために、赤色ＬＥＤ１０Ｒおよび緑色ＬＥＤ１０Ｇの強度比を調整する（加色する）。但し、本実施の形態では、比較例２と異なり、まず、青色ＬＥＤ１０Ｂ５，１０Ｂ６の発光強度比を調整し、一定値として扱う。即ち、図２６Ｂに示したように、表示ユニットＣ１，Ｃ２間において青色の発光強度比を一定値に設定し、この一定の青色に対して赤色および緑色を混色する。また、表示ユニットＣ１，Ｃ２間において一定とするために、その発光強度比を保ったまま、ＲＧＢの合計の輝度（図２６Ｂにおける各グラフの高さ）が表示ユニットＣ１，Ｃ２間において同じになるように調整する。このような発光強度比の調整を行うことで、２つの青色ＬＥＤ１０Ｂ５，１０Ｂ６の目標色度点を、例えばそれらの平均の色度点Ｐ２に設定することができる。実施例２では、測定した青色の各色度点を補正点Ｐ２へシフトするための補正係数を演算によって算出し、この補正係数を用いて、青色の輝度および色度が補正される。また、青色以外の色、即ち赤色および緑色の輝度および色度は、上記補正後の青色の輝度および色度を用いて、画素毎に加法混色され、補正されることが望ましい。
【００６５】
図２７は、網膜中心外における、実施例２に係る調整後（補正点Ｐ２へのシフト後）の青色の輝度および色度について模式的に表したものである。図２８は、その網膜中心外での青色の見え方を模式的に表したものである。このように、実施例２においても、比較例２と同様、網膜中心外において、表示ユニットＣ１，Ｃ２間で均一な青色が表現される（均一な青色と感じられる）。
【００６６】
図２９は、網膜中心における、実施例２の調整後（補正点Ｐ２へのシフト後）の青色の輝度および色度について模式的に表したものである。図３０は、その網膜中心での青色の見え方を模式的に表したものである。網膜中心では、上述した理由から青色をほとんど感じず、赤色および緑色に対する感度が支配的となる。実施例２では、表示ユニットＣ１，Ｃ２間において青色の発光強度比が一定となるように調整されているので、加色する赤色および緑色の強度比も表示ユニットＣ１，Ｃ２間において一定となる（混色比が一定となる）。つまり、青色ＬＥＤ１０Ｂ５，１０Ｂ６の波長ばらつきによらず、ＲＧＢの混色比が一定となる。この結果、図２９および図３０に模式的に表したように、表示ユニットＣ１，Ｃ２間において均一な青色が表現される（均一な青色と感じられる）。また、表示ユニットＣ１，Ｃ２間に境界も視認されにくい。尚、実際の青色の発光強度は、表示ユニットＣ１，Ｃ２間において異なるため、厳密には、青色の色度は均一ではないが、Ｓ錐体細胞の密度が低く、青色の空間分解能が赤色および緑色に比べて低いことから、表示ユニットＣ１，Ｃ２間における青色の色味のばらつきは視認されにくい。
【００６７】
よって、本実施の形態においても、上記第１の実施の形態と同様、画品位を向上させることができる。また、色再現性を高めることも可能である。
【００６８】
尚、表示ユニットＣ１，Ｃ２間の青色の波長差が極端に大きい場合には、上記手法を用いても、青色単独の色度差が視認されることがある。このとき、境界が見えるかどうかは表示ユニットＣ１，Ｃ２間の平均波長の差（画素ごとのばらつきは境界へ影響しにくい）に依存する。このような青色単独の差が見えないようにするためには、表示ユニットＣ１，Ｃ２間の平均波長の差を４ｎｍ以下とすることが望ましく、２ｎｍ以下に抑えることがより望ましい。これは、上記第１の実施の形態の集合体Ｕ１間においても同様である。集合体Ｕ１同士の間の境界が視認されないようにするために、集合体Ｕ１間の平均波長の差を４ｎｍ以下とすることが望ましく、２ｎｍ以下に抑えることがより望ましい。
【００６９】
また、本実施の形態においても、青色ＬＥＤだけでなく緑色ＬＥＤについて同様の補正を行うようにしてもよい。
【００７０】
更に、表示ユニットＣｎ同士は、互いに同一基板上に隣接して形成されたものでもよいし、互いに異なる基板上に形成されたものを隣接させても構わない。また、表示ユニットＣｎ同士は、電気的に独立して構成されていてもよいし、一部で接続されていてもよい。
【００７１】
＜第３の実施の形態＞
図３１は、本開示の第３の実施の形態に係る表示装置で用いられる補正係数について説明するための色度図である。図３２は、比較例に係る補正係数について説明するための色度図である。
【００７２】
本実施の形態においても、画素間あるいは表示ユニット間において波長ばらつきをもつ青色ＬＥＤが配置されている場合に、青色の輝度および色度が補正される。但し、本実施の形態では、青色の輝度は、画素毎に補正される。青色の色度は、集合体Ｕ１における青色ＬＥＤの各色度に基づいて算出された補正係数を用いて補正される。
【００７３】
具体的には、図３１に示したように、青色において、長波長の画素Ａと短波長の画素Ｂとの各色度の平均値を算出し、この平均の色度点Ｐ３を用いて目標補正点Ｐ４へシフトさせるように色度調整を行う。この目標補正点Ｐ４へシフトさせるための補正係数を演算によって算出し、算出した補正係数を用いて色度補正が行われる。また、青色以外の色、即ち赤色および緑色の輝度および色度は、上記補正後の青色の輝度および色度を用いて、画素毎に加法混色され、補正されることが望ましい。
【００７４】
ここで、図３２に示したように、本実施の形態の比較例（比較例３）では、画素Ａ，Ｂの各色度点から目標補正点Ｐ５へシフトするように輝度および色度が一括して画素毎に調整される。このような比較例３に対し、本実施の形態のように、青色ＬＥＤの各色度の平均をとり、この平均色度を用いて補正係数を算出する。ここで、例えば画素毎に加法混色により他の原色を足し合わせた場合、眼の網膜上の異なる位置に各原色を感じる細胞が分布することから、視野によって色味や明るさが異なる現象が生じ易い。本実施の形態のような輝度および色度の補正を行うことで、そのような現象の発生を軽減することができる。よって、上記第１の実施の形態と同等の効果を得ることができる。
【００７５】
＜変形例１−１〜１−７＞
図３３Ａ〜図３３Ｇは、上記第１の実施の形態で説明した画素配列の他の例を表したものである。上記第１の実施の形態（図４）では、２×２の画素領域を集合体Ｕ１として、長波長グループＧ１と短波長グループＧ２とが千鳥状に配置された構成を例示したが、集合体の構成および長波長グループＧ１と短波長グループＧ２との配列は、他にも様々なものが挙げられる。
【００７６】
例えば、図３３Ａに示した変形例１−１のように、２×３（２行３列）の画素領域からなる集合体Ｕ２において、長波長グループＧ１に属する波長（Ｂ１３，Ｂ２１，Ｂ２２）と、短波長グループＧ２に属する波長（Ｂ１１，Ｂ１２，Ｂ２３）とが配置されている。また、図３３Ｂに示した変形例１−２のように、３×２（３行２列）の画素領域からなる集合体Ｕ３において、長波長グループＧ１に属する波長（Ｂ１２，Ｂ２２，Ｂ３１）と、短波長グループＧ２に属する波長（Ｂ１１，Ｂ２１，Ｂ３２）とが配置されている。
【００７７】
更に、図３３Ｃに示した変形例１−３のように、２×４（２行４列）の画素領域からなる集合体Ｕ４において、長波長グループＧ１に属する波長（Ｂ１３，Ｂ１４，Ｂ２１，Ｂ２２）と、短波長グループＧ２に属する波長（Ｂ１１，Ｂ１２，Ｂ２３，Ｂ２４）とが配置されている。また、図３３Ｄに示した変形例１−４のように、４×２（４行２列）の画素領域からなる集合体Ｕ５において、長波長グループＧ１に属する波長（Ｂ１２，Ｂ２２，Ｂ３１，Ｂ４１）と、短波長グループＧ２に属する波長（Ｂ１１，Ｂ２１，Ｂ３２，Ｂ４２）とが配置されている。
【００７８】
加えて、図３３Ｅに示した変形例１−５のように、２×５（２行５列）の画素領域からなる集合体Ｕ６において、長波長グループＧ１に属する波長（Ｂ１２，Ｂ１４，Ｂ１５，Ｂ２１，Ｂ２３）と、短波長グループＧ２に属する波長（Ｂ１１，Ｂ１３，Ｂ２２，Ｂ２４，Ｂ２５）とが配置されている。また、図３３Ｆに示した変形例１−６のように、５×２（５行２列）の画素領域からなる集合体Ｕ７において、長波長グループＧ１に属する波長（Ｂ１１，Ｂ２２，Ｂ３１，Ｂ４２，Ｂ５２）と、短波長グループＧ２に属する波長（Ｂ１２，Ｂ２１，Ｂ３２，Ｂ４１，Ｂ５１）とが配置されている。
【００７９】
また、図３３Ｇに示した変形例１−７のように、４×４（４行４列）の画素領域からなる集合体Ｕ８において、長波長グループＧ１に属する波長（Ｂ１３，Ｂ１４，Ｂ２３，Ｂ２４，Ｂ３１，Ｂ３２，Ｂ４１，Ｂ４２）と、短波長グループＧ２に属する波長（Ｂ１１，Ｂ１２，Ｂ２１，Ｂ２２，Ｂ３３，Ｂ３４，Ｂ４３，Ｂ４４）とが配置されている。
【００８０】
このように、長波長グループＧ１に属する波長と、短波長グループＧ２に属する波長とが適度に分散されて混在していればよい。例えば、長波長グループＧ１に属する波長と、短波長グループＧ２に属する波長とが、行方向、列方向または斜め方向において、交互に配置されているとよい。また、上記実施の形態および変形例では、長波長グループＧ１に属する波長と、短波長グループＧ２に属する波長とが、周期的に繰り返して配置される構成を例示したが、これらは必ずしも規則性を有していなくともよい。即ち、長波長グループＧ１に属する波長と、短波長グループＧ２に属する波長とが、ランダムに混在して配置されていても構わない。
【００８１】
以上、実施の形態および変形例を挙げて本開示を説明したが、本開示はこれらの実施の形態等に限定されず、種々の変形が可能である。例えば、上記実施の形態等では、本開示の発光素子としてＲ，Ｇ，Ｂの３原色のＬＥＤが配置された場合を例示して説明したが、更に他の色のＬＥＤが配置されていてもよく、即ち４原色以上のＬＥＤディスプレイにも本開示は適用可能である。また、Ｒ，Ｇ，ＢのＬＥＤのいずれかに代えて他の色のＬＥＤを含んでいても構わない。
【００８２】
また、上記実施の形態等では、本開示の発光素子としてＬＥＤを例示したが、本開示は、他の発光素子、例えば有機電界発光素子あるいは量子ドットを活性層として用いたディスプレイにも広く適用することができる。単色の色度ばらつきが大きい発光素子が用いられたディスプレイに特に有効である。
【００８３】
尚、本開示内容は以下のような構成であってもよい。
（１）
各々が、少なくとも３原色の発光素子を含む複数の画素を有する表示部と、
入力された映像信号に基づいて前記複数の画素を駆動する駆動部と
を備え、
前記駆動部は、２以上の画素に配置された第１原色の発光素子の発光強度比を調整して算出された補正係数を用いて、前記第１原色の輝度および色度を補正する
表示装置。
（２）
前記表示部は、隣接する２以上の画素から構成された集合体を単位配列として含み、
各集合体では、画素位置に応じて前記第１原色の発光素子の発光波長が異なっており、
前記補正係数は、前記集合体毎に算出されたものである
上記（１）に記載の表示装置。
（３）
前記補正係数は、前記集合体内に配置された各第１原色の発光素子の発光強度比を一定値として算出されたものである
上記（２）に記載の表示装置。
（４）
前記表示部は、各々が前記複数の画素を含む２以上の表示ユニットが２次元配置されたものであり、
前記表示ユニット毎に前記第１原色の発光素子の発光波長が異なっており、
前記補正係数は、少なくとも隣接する表示ユニットの組毎に算出されたものである
上記（１）に記載の表示装置。
（５）
前記補正係数は、隣接する表示ユニットのそれぞれに配置された各第１原色の発光素子の発光強度比を一定値として算出されたものである
上記（４）に記載の表示装置。
（６）
前記駆動部は、前記映像信号に含まれる第１原色以外の色の輝度および色度を、補正後の第１原色の輝度および色度を用いて加法混色することにより、前記画素毎に補正する
上記（１）ないし（５）のいずれか１つに記載の表示装置。
（７）
前記表示部における画素位置に応じて前記第１原色の発光素子の発光波長が異なっており、
最も長波長の第１原色の発光素子と、最も短波長の第１原色の発光素子との間の波長差は、１０ｎｍ以上である
上記（１）ないし（６）のいずれか１つに記載の表示装置。
（８）
前記集合体同士の間における平均波長の差が４ｎｍ以下である
上記（２）または（３）に記載の表示装置。
（９）
前記集合体同士の間における平均波長の差が２ｎｍ以下である
上記（２）または（３）に記載の表示装置。
（１０）
前記表示ユニット同士の間における平均波長の差が４ｎｍ以下である
上記（４）または（５）に記載の表示装置。
（１１）
前記表示ユニット同士の間における平均波長の差が２ｎｍ以下である
上記（４）または（５）に記載の表示装置。
（１２）
前記第１原色の発光素子は、相対的に長波長となる群に属する波長と、相対的に短波長となる群に属する波長とが、行方向、列方向または斜め方向において交互に配置されている
上記（１）ないし（１１）のいずれか１つに記載の表示装置。
（１３）
各画素は、赤色、緑色および青色の発光素子をそれぞれ含み、
前記第１原色は、青色である
上記（１）ないし（１２）のいずれか１つに記載の表示装置。
（１４）
前記第１原色の発光素子はＡｌＧａＩｎＮ系発光ダイオードを含む
上記（１３）に記載の表示装置。
（１５）
前記駆動部は、２以上の画素に配置された緑色発光素子の発光強度比を調整して算出された補正係数を用いて、緑色の輝度および色度を補正する
上記（１３）または（１４）に記載の表示装置。
（１６）
各々が、少なくとも３原色の発光素子を含む複数の画素を有する表示部と、
入力された映像信号に基づいて前記複数の画素を駆動する駆動部と
を備え、
前記駆動部は、
前記画素毎に第１原色の輝度を補正し、
２以上の画素に配置された前記第１原色の発光素子の各色度に基づいて算出された補正係数を用いて、前記第１原色の色度を補正する
表示装置。
（１７）
前記駆動部は、前記第１原色以外の色の輝度および色度を、画素毎の第１原色の輝度と補正後の第１原色の色度とを用いて加法混色することにより、前記画素毎に補正する
上記（１６）に記載の表示装置。
（１８）
表示部の１画素内に配置された少なくとも３原色の発光素子の輝度および色度を補正する際に、
２以上の画素に配置された第１原色の発光素子の発光強度比を調整して算出された補正係数を用いて、前記第１原色の輝度および色度を補正する
補正方法。
（１９）
表示部の１画素内に配置された少なくとも３原色の発光素子の輝度および色度を補正する際に、
前記画素毎に第１原色の輝度を補正し、
２以上の画素に配置された前記第１原色の発光素子の各色度に基づいて算出された補正係数を用いて、前記第１原色の色度を補正する
補正方法。
【符号の説明】
【００８４】
１…表示装置、１Ａ…表示システム、１０…表示部、１０Ｂ１〜１０Ｂ６…青色ＬＥＤ、１０Ｒ…赤色ＬＥＤ、１０Ｇ…緑色ＬＥＤ、２０…駆動部、３０…制御部、３１…補正処理部、４０…補正係数取得部、４１…カメラ、４２…輝度・色度測定部、４３演算処理部、４４…記憶部、Ｃｎ，Ｃ１，Ｃ２…表示ユニット、Ｕ１〜Ｕ８…集合体、
【図１】
0006368669.tif 000002
【図２】
0006368669.tif 000003
【図３】
0006368669.tif 000004
【図４】
0006368669.tif 000005
【図５】
0006368669.tif 000006
【図６】
0006368669.tif 000007
【図７Ａ】
0006368669.tif 000008
【図７Ｂ】
0006368669.tif 000009
【図８】
0006368669.tif 000010
【図９】
0006368669.tif 000011
【図１０】
0006368669.tif 000012
【図１１】
0006368669.tif 000013
【図１２】
0006368669.tif 000014
【図１３】
0006368669.tif 000015
【図１４Ａ】
0006368669.tif 000016
【図１４Ｂ】
0006368669.tif 000017
【図１５】
0006368669.tif 000018
【図１６】
0006368669.tif 000019
【図１７】
0006368669.tif 000020
【図１８】
0006368669.tif 000021
【図１９】
0006368669.tif 000022
【図２０】
0006368669.tif 000023
【図２１Ａ】
0006368669.tif 000024
【図２１Ｂ】
0006368669.tif 000025
【図２２】
0006368669.tif 000026
【図２３】
0006368669.tif 000027
【図２４】
0006368669.tif 000028
【図２５】
0006368669.tif 000029
【図２６Ａ】
0006368669.tif 000030
【図２６Ｂ】
0006368669.tif 000031
【図２７】
0006368669.tif 000032
【図２８】
0006368669.tif 000033
【図２９】
0006368669.tif 000034
【図３０】
0006368669.tif 000035
【図３１】
0006368669.tif 000036
【図３２】
0006368669.tif 000037
【図３３Ａ】
0006368669.tif 000038
【図３３Ｂ】
0006368669.tif 000039
【図３３Ｃ】
0006368669.tif 000040
【図３３Ｄ】
0006368669.tif 000041
【図３３Ｅ】
0006368669.tif 000042
【図３３Ｆ】
0006368669.tif 000043
【図３３Ｇ】
0006368669.tif 000044